(57)【特許請求の範囲】
【請求項１】
運搬車の荷台上に、堆肥散布機を搭載して構成する搭載型堆肥散布機において、その運搬車の荷台上に搭載した堆肥散布機の入力軸と原動機の出力軸との間の動力の伝導を入・切制御する入・切レバーに、牽引により入・切レバーを伝導を“入”とする側に作動させる撓曲自在の紐状部材の一端側を接続し、その紐状部材の他端側を、前記運搬車の荷台上に搭載せる堆肥散布機の機体に組み付け支架せしめた案内手段を介して前記運搬車の外面に沿いその運搬車の運転室内の運転者の手が届く位置に導き、その位置において該紐状部材の他端側の遊端部を、自由空間に垂下せしめて構成したことを特徴とする搭載型堆肥散布機の動力接続装置における遠隔操作装置。
【請求項２】
運搬車の荷台上に搭載した堆肥散布機の入力軸と原動機の出力軸との間の動力の伝導を入・切制御する入・切レバーに、牽引により該入・切レバーを、伝導を“入”とする側に作動させる撓曲自在の紐状部材の一端側を接続し、その紐状部材の他端側を、前記運搬車の荷台上に搭載せる堆肥散布機の機体に組み付け支架せしめた案内手段を介し前記運搬車の外面に沿いその運搬車の運転室内の運転者の手が届く位置に導き、その位置において該紐状部材の他端側の遊端部を自由空間に垂下せしめ、かつ、入・切レバーは、原動機のスロットルレバーに対し、該入・切レバーを動力伝導を“切”とする側に回動させたときには、スロットルレバーを原動機の回転を低速回転とする位置に動かし、動力伝導を“入”とする側に回動させたときには、スロットルレバーを原動機の回転を使用回転数の高速回転とする位置に動かすよう、連繋機構を介し連繋せしめて構成したことを特徴とする搭載型堆肥散布機の動力接続装置における遠隔操作装置。
【請求項３】
運搬車の荷台上に搭載した堆肥散布機の入力軸と原動機の出力軸との間の動力の伝導を入・切制御する入・切レバー（２０）に、牽引により入・切レバーを伝導が”入”となる側に作動させる撓曲自在の紐状部材（３０）の一端側を連繋し、その紐状部材（３０）の他端側を、前記運搬車の荷台に搭載せる堆肥散布機の機体に組み付け支架せしめた案内手段を介し、前記堆肥散布機を荷台上に搭載せる運搬車の運転室（Ｒ）内の運転者の手が届く位置に導き、その紐状部材の他端側の遊端部を自由空間に垂下せしめ、その遊端部に、係止部材（６０）を設け、前記案内手段の先端部には、紐状部材（３０）を引っ張った状態において該紐状部材（３０）に付設せる前記係止部材（６０）と係合して、該紐状部材（３０）を引っ張った状態に保定せしめる係合部材（６１）を設けたことを特徴とする請求項１または請求項２記載の搭載型堆肥散布機の動力接続装置における遠隔操作装置。
【発明の詳細な説明】
【技術分野】
【０００１】
本発明は、機体に装架したホッパ内に積み込んだ堆肥を、ホッパ後部に設けた散布ビーターにより機体後方に放出して圃場に散布する堆肥散布機を、トラック等の運搬車の荷台に搭載して、トラック等の運搬車の走行により移動せしめて圃場に堆肥を散布していく搭載型堆肥散布機において、荷台に搭載した堆肥散布機に対する原動機からの動力の伝導を、入切制御する動力接続装置についての改良に関するものである。
【背景技術】
【０００２】
堆肥散布機ｗは、通常図１に示しているように、堆肥を積み込むよう箱型に形成して堆肥散布機ｗの機体ａに装架せるホッパ１０と、そのホッパ１０内に積み込んだ堆肥を順次後方に移動させるようホッパ１０の床面に張設せる床コンベア１１と、その床コンベア１１で後方に移動させた堆肥を掻き出して機体ａの後方に放出するようホッパ１０の後部に接続せしめて付設する散布装置１２とにより構成され、その機体ａを、トラクタ等の牽引車に連結することで牽引車により牽引されて走行する車体ｂか、または自走して走行移動する車体に、該堆肥散布機ｗの機体ごと装架することで、ホッパ１０の床面に装備される床コンベア１１と散布装置１２を駆動せしめた状態においての車体ｂの走行移動により、散布装置１２により掻きだして放出する堆肥を圃場に散布していくように使用される。
【０００３】
この堆肥散布機ｗには、図２に示しているように、トラック等の運搬車Ｔの荷台ｔ上に搭載して、その運搬車Ｔの走行により移動が行われるようにし、ホッパ１０の床面に装備せる床コンベア１１と散布装置１２とを、堆肥散布機ｗの機体に組み付けるか運搬車Ｔの荷台ｔ上に装架しておく原動機ｅの作動によって駆動せしめた状態において、運搬車Ｔを走行移動させることで、散布装置１２で掻き出して放出する堆肥を走行する運搬車Ｔの荷台ｔの後方に散布していくようにした搭載型堆肥散布機と呼ばれる形態の堆肥散布機がある。
【０００４】
この搭載型の堆肥散布機は、運搬車Ｔの荷台ｔ上に搭載した堆肥散布機ｗの、床コンベア１１及び散布装置１２を、荷台ｔ上に配位して装架せる原動機ｅにより駆動せしめて該堆肥散布機ｗを作動させる際に、原動機ｅから動力接続装置（図示省略）を介し堆肥散布機ｗへ伝導する回転動力の入・切制御を、運搬車Ｔの運転室Ｒ内の運転席に座乗した運転手Ｍが、運搬車Ｔの運転操作と並行して、運転席において遠隔制御手段（図示省略）を介し遠隔操作により行うことになる。このため、荷台ｔ上に搭載した堆肥散布機ｗの入力軸と荷台ｔ上に配設された原動機ｅの出力軸との間に設けられる動力接続装置には、動力の伝達を入・切（断・接）制御する入・切制御手段と、この入・切制御手段を遠隔操作により入・切作動させるための連繋機構とが組み込まれる。また、運転室Ｒ内には、前記動力接続装置の、入・切制御手段を、連繋機構を介して遠隔制御するためのコントローラｃが配設される。
【０００５】
堆肥散布機ｗと原動機ｅとの間の動力接続装置に組み込まれる動力伝導の入・切（断・接）制御手段は、通常、伝導の入・切の作動を行わす入・切レバー２０に、電動モータ２１を連繋し、その電動モータ２１を、運転室Ｒ内に設置するコントローラｃの操作制御により作動させて、入・切レバー２０に、動力の伝導の、入・切の作動を行わすように構成している。また、運転室Ｒ内に配設するコントローラｃは、運転室Ｒ内の座席に座乗する運転者の手動操作で、前記電動モータ２１の回路に接続させて設けたスイッチを操作制御することにより、前記電動モータ２１の作動のオン・オフ及び正転・逆転の切り換えをコントロールするよう構成している。そして、運転室Ｒ内には、前記コントローラｃを、前述の電動モータ２１の回路および電源バッテリーに接続するための電気配線２２が設けられる。
【０００６】
この搭載型の堆肥散布機ｗには、以下に記載する問題点がある。
第１には、堆肥散布機ｗに対する原動機ｅからの動力の伝達を入・切制御する入・切レバー２０の作動を、運搬車Ｔの運転者が運転室Ｒ内の運転席に座乗した状態で、運転室Ｒ内からの遠隔操作により行わすことから、運転室Ｒ内に、コントローラｃや、該コントローラｃに対し、入・切レバー２０を作動さす電動モータ２１の回路及び電源バッテリーに接続するための電気配線２２が、組み付け設置されることになるので、運搬車Ｔを走行運転させて行う圃場への堆肥の散布作業が終了して、運搬車Ｔの荷台ｔから堆肥散布機ｗを取り降ろし、運搬車Ｔを平常使用する状態に戻すときに、荷台ｔから取り降ろす堆肥散布機ｗを運搬車Ｔの車体に対し切り離した状態とするため、運転室Ｒ内に組み付け設置したコントローラｃと堆肥散布機ｗおよびそれを駆動する原動機ｅの側に組み付けられている入・切制御手段とを接続している電気配線２２等の接続手段を、運搬車Ｔの機体から外して切り離すことが必要で、この切り離し作業のため、堆肥の散布作業を終えて堆肥散布機を運搬車の荷台から取り降ろし、運搬車を平常状態に戻す作業を厄介なものとし、また、再び、堆肥の散布作業を行うために、堆肥散布機ｗを荷台ｔ上に搭載するときは、搭載した堆肥散布機ｗと原動機ｅとの間の動力の伝導を入・切制御する入・切レバー２０を作動させる電動モータ２１と、運転室Ｒ内に配置されるコントローラｃとを、接続する作業が必要で、堆肥散布機ｗを搭載する作業を厄介なものとするので、堆肥散布機ｗの運搬車Ｔの荷台ｔに対する脱着作業が容易ではない、という問題がある。
【０００７】
第２には、運転室Ｒからコントローラｃの操作による入・切レバー２０を作動させる電動モータ２１の遠隔制御によって行う原動機ｅと堆肥散布機ｗとの間の動力伝導の入・切の制御が、動力の伝導をオン・オフするまでしか行えず、原動機ｅの回転数の制御まではし得ないことから、原動機ｅには、回転数を使用回転数に予め固定して設定しておき、堆肥の散布作業中は回転数の変更ができないようにしているので、運搬車Ｔを走行運転して圃場に堆肥を散布している散布作業中に、堆肥散布機ｗのホッパ１０が空になって散布すべき堆肥が無い状態となったとき、また、圃場の一方の端から始める往路の散布作業が、他方の端までに達し、復路の散布作業に移行するよう運搬車を旋回させるときにおいても、原動機ｅは使用回転数の高い回転数で回転作動し続けるようにしているので、原動機ｅの燃費が良くない問題がある。
【発明の概要】
【発明が解決しようとする課題】
【０００８】
本発明において解決しようとする課題は、第１には、運搬車の荷台に堆肥散布機を搭載して構成される搭載型堆肥散布機において、運搬車の運転席に座乗する運転者による遠隔操作により、荷台上の堆肥散布機に対する原動機からの動力伝導の入・切制御を行わす遠隔操作手段を、運搬車の車体に対しては連繋がないようにして、運搬車の荷台に対し堆肥散布機を脱着する作業に影響を与えないように構成する点にある。
【０００９】
第２には、搭載型堆肥散布機において、運搬車の荷台上の堆肥散布機に対する原動機からの動力伝導の入・切の制御作動を、運搬車の運転席に座乗する運転者に、遠隔操作により行わすための遠隔操作手段の構成を、動力伝導を“入”に作動させたときだけ、原動機を予め設定した使用回転数の高回転で回転作動させ、動力伝導を“切”に作動させたときには、原動機を低い回転数の低回転で回転作動させるように構成して、散布作業以外の作業時には原動機の回転を低回転とし、原動機の燃費を良くする点にある。
【課題を解決するための手段】
【００１０】
本発明は上述の課題を解決するための手段として、
運搬車の荷台上に、堆肥散布機を搭載して構成する搭載型堆肥散布機において、その運搬車の荷台上に搭載した堆肥散布機の入力軸と原動機の出力軸との間の動力の伝導を入・切制御する入・切レバーに、牽引により入・切レバーを伝導を“入”とする側に作動させる撓曲自在の紐状部材の一端側を接続し、その紐状部材の他端側を、前記運搬車の荷台上に搭載せる堆肥散布機の機体に組み付け支架せしめた案内手段を介して前記運搬車の外面に沿いその運搬車の運転室内の運転者の手が届く位置に導き、その位置において該紐状部材の他端側の遊端部を、自由空間に垂下せしめて構成したことを特徴とする搭載型堆肥散布機の動力接続装置における遠隔操作装置を提起するものである。
また、これに併せて、運搬車の荷台上に搭載した堆肥散布機の入力軸と原動機の出力軸との間の動力の伝導を入・切制御する入・切レバーに、牽引により該入・切レバーを、伝導を“入”とする側に作動させる撓曲自在の紐状部材の一端側を接続し、その紐状部材の他端側を、前記運搬車の荷台上に搭載せる堆肥散布機の機体に組み付け支架せしめた案内手段を介し前記運搬車の外面に沿いその運搬車の運転室内の運転者の手が届く位置に導き、その位置において該紐状部材の他端側の遊端部を自由空間に垂下せしめ、かつ、入・切レバーは、原動機のスロットルレバーに対し、該入・切レバーを動力伝導を“切”とする側に回動させたときには、スロットルレバーを原動機の回転を低速回転とする位置に動かし、動力伝導を“入”とする側に回動させたときには、スロットルレバーを原動機の回転を使用回転数の高速回転とする位置に動かすよう、連繋機構を介し連繋せしめて構成したことを特徴とする搭載型堆肥散布機の動力接続装置における遠隔操作装置を提起し、
また、これに併せて、運搬車の荷台上に搭載した堆肥散布機の入力軸と原動機の出力軸との間の動力の伝導を入・切制御する入・切レバー２０に、牽引により入・切レバーを伝導が”入”となる側に作動させる撓曲自在の紐状部材３０の一端側を連繋し、その紐状部材３０の他端側を、前記運搬車の荷台に搭載せる堆肥散布機の機体に組み付け支架せしめた案内手段を介し、前記堆肥散布機を荷台上に搭載せる運搬車の運転室Ｒ）内の運転者の手が届く位置に導き、その紐状部材の他端側の遊端部を自由空間に垂下せしめ、その遊端部に、係止部材６０を設け、前記案内手段の先端部には、紐状部材３０を引っ張った状態において該紐状部材３０に付設せる前記係止部材６０と係合して、該紐状部材３０を引っ張った状態に保定せしめる係合部材６１を設けたことを特徴とする搭載型堆肥散布機の動力接続装置における遠隔操作装置。
【発明の効果】
【００１１】
本発明手段は、堆肥散布機と原動機との間の動力の伝導の入・切を遠隔操作により作動させる紐状部材が、運搬車の車体に対し連繋がないことで、運搬車の荷台から堆肥散布機と一緒に取り外せ、また一緒に荷台上に装備せしめ得るので、堆肥散布機の荷台に対する脱着作業を容易なものとする。
【００１２】
紐状部材を運転者が引っ張って、堆肥散布機への原動機の動力の伝導を“入”とすると、原動機のスロットルレバーが高速回転の位置に動き、原動機が高回転で回転作動し、紐状部材の引っ張りを戻して、原動機からの動力の伝導を“切”とすると、原動機のスロットルレバーが低速回転の位置に動いて、原動機が低回転で回転作動するようになるので、ホッパが空になったときの走行作業・圃場の際における旋回作業等の、堆肥散布機の作動を停めて行う作業の際に、原動機が低速回転するようになって、原動機の燃費を良くする。
【図面の簡単な説明】
【００１３】
【図１】通常の形態の堆肥散布機の側面図である。
【図２】搭載型堆肥散布機の側面図である。
【図３】本発明手段を実施せる搭載型堆肥散布機の側面図である。
【図４】同上搭載型堆肥散布機の平面図である。
【図５】同上搭載型堆肥散布機の、紐状部材を案内する案内手段の先端部分の斜視図である。
【図６】同上搭載型堆肥散布機の、紐状部材を案内する案内手段の側面図である。
【図７】同上搭載型堆肥散布機の、動力接続装置部分の、動力伝導を入とした状態時の側面図である。
【図８】同上搭載型堆肥散布機の、動力接続装置部分の、動力伝導を切とした状態時の側面図である。
【図９】別の実施例の、動力接続装置部分の、動力伝導を入とした状態時の側面図である。
【図１０】同上別の実施例の、動力接続装置部分の、動力伝導を切とした状態時の側面図である。
【発明を実施するための形態】
【００１４】
次に実施の態様を実施例につき図面に従い詳述する。
【実施例１】
【００１５】
図３及び図４は、本発明手段を実施せる搭載型堆肥散布機の側面図及び平面図で、これら図において、Ｔは運搬車の全体、ｔはその運搬車Ｔの荷台、ｗは運搬車Ｔの荷台ｔ上に搭載した堆肥散布機、ｅは堆肥散布機ｗを作動させるよう該堆肥散布機ｗに組み合わせて荷台ｔ上に搭載した原動機、ｄは原動機ｅの回転動力を堆肥散布機ｗへ伝導する回転動力を入・切する入・切制御手段、ｇは、入・切制御手段ｆの入・切の作動を、運搬車Ｔの運転室Ｒからの遠隔操作により行わすための遠隔操作手段、を示す。
【００１６】
運搬車Ｔは、車体ｂの前端側にエンジンを装備し、その後方に運転室Ｒを装設し、その運転室Ｒの後方に荷台ｔを装備せしめている普通のトラックである。運搬車Ｔの荷台ｔに搭載した堆肥散布機ｗは、架台状に形成した機体ａの上面側に、肥料を積み込むよう箱型に形成して装架したホッパ１０と、そのホッパ１０の床面に、積み込んだ堆肥を順次後方に移動させるように張設せる床コンベア１１と、ホッパ１０の後端側の開放口に軸支せる散布ビータよりなる散布装置１２と、により構成される通常の堆肥散布機である。
【００１７】
原動機ｅは、出力する回転動力により、前記堆肥散布機ｗの床コンベア１１及び散布装置１２を駆動して堆肥散布機を稼動させるためのもので、この例においては通常のエンジンであり、図４の平面図にあるよう、堆肥散布機ｗの機体ａから張り出すように設けた組付機枠１３に組み付けて、運搬車Ｔの荷台ｔの前端部位に配設せしめてある。
【００１８】
この原動機ｅの回転動力を堆肥散布機ｗへ伝導する動力接続手段ｄは、この例においては、図７に示しているように、原動機ｅの出力軸４０に装着した駆動プーリ４１と、堆肥散布機ｗに装備せしめた入力軸４２に装着した従動プーリ４３と、これら駆動プーリ４１と従動プーリ４３とにかけまわしたＶベルト４４と、堆肥散布機ｗの機体ａに設けた機枠ａ’に支点軸４５中心に上下に揺動回動するよう支架せるテンションアーム４６の先端側に軸支せるテンションローラ４７とで、原動機ｅの出力軸４０から出力される回転動力を、テンションローラ４７により緊張したＶベルト４４を介し堆肥散布機ｗの入力軸４２に伝導するベルト伝導式に構成している。
【００１９】
原動機ｅから堆肥散布機ｗへ伝達する回転動力を入・切制御する入・切制御手段ｆは、この例においては、前記図７にあるよう、入・切レバー２０を、前述のテンションアーム４６を軸支せる機枠ａ’に、そのテンションアーム４６と平行するよう配位して支軸２３中心に上下に揺動回動するよう軸支し、この入・切レバー２０の回動で前記テンションアーム４６が追従して共に回動するよう該入・切レバー２０をテンションアーム４６に対し連繋部材２４を介し連繋しておいて、入・切レバー２０を上昇回動させることで、テンションローラ４７が図７にあるようＶベルト４４に圧接してＶベルト４４を緊張し、動力の伝導を“入”とし、入・切レバー２０が下方に回動すると、テンションローラ４７が図８にあるように、Ｖベルト４４から離れて、Ｖベルト４４の緊張を緩め、動力の伝導を“切”とするベルトクラッチ式に構成してある。
【００２０】
この原動機ｅから堆肥散布機ｗへの動力の伝導を入・切制御する入・切レバー２０を、運搬車Ｔの運転室Ｒ内の運転席に座乗する運転者により遠隔操作によって入・切作動させる遠隔操作手段ｇは、この例においては、入・切レバー２０の回転端部に、撓曲自在の紐状部材であるロープ３０の一端を連繋し、このロープ３０の他端側を、堆肥散布機ｗの機体ａに、取付部材５０を介して組み付け支架せる案内アーム５１とそれに軸架せる複数の案内輪５２とからなる案内部材５により、運搬車Ｔの車体ｂの外面に沿い運転室Ｒの上方で、その運転室Ｒの一側の窓の上方近傍位置に臨む位置に導き、その位置において、ロープ３０の他端側の遊端部を、案内部材５の先端から自由空間に垂下させることで、このロープ３０の遊端部を、運転者が窓から手を出して引っ張ることで、入・切レバー２０が上方回動して動力伝導を“入”とし、また引っ張りを解放することで、入・切レバー２０が下方に復元回動して動力伝導を“切”とするように構成している。
【００２１】
この遠隔操作手段ｇにおいて、入・切レバー２０に一端側を連繋する紐状部材は、運搬車Ｔの車体ｂの外面に沿い運転室Ｒの上方に導けるよう撓曲自在であればよく、ワイヤー、鎖紐等適宜のものを使用してよい。
【００２２】
また、案内部材５は、紐状部材を、運搬車Ｔの車体ｂに対し隔離させた状態で、運転室Ｒ内の運転者が引っ張れる位置に導けるようになればよく、案内筒に形成するなど、適宜に構成してよい。
【００２３】
図５は、運転者がロープ３０の垂下する遊端部を手で握って引っ張り、入・切レバー２０を動力伝導が“入”となる位置に回動させたとき、ロープ３０から手を放しても、ロープ３０を引っ張った状態に保持せしめる保定手段を示している。
【００２４】
この保定手段ｈは、ロープ３０の他端側の遊端部に装備せしめておく係止部材６０と、案内部材５の先端部に、前記係止部材６０と係合して、ロープ３０の遊端部を引っ張った位置に保定するよう装備せしめておく係合部材６１とからなり、ロープ３０を引っ張った状態において、ロープ３０の遊端部に設けておいた係止部材６０を、案内部材５の先端部に設けた係合部材６１に係合させることで、ロープ３０の戻り方向の移動を阻止して、ロープ３０を引っ張った状態に保定するように構成している。
【００２５】
そして、この例においては、係止部材６０はロープ３０に結び目を作ることで、その結び目により構成してあり、また、係合部材６１は、案内部材５の案内アーム５１の先端側を下方に向け弯曲させて延長し、この案内アーム５１の延長部にＵ字形に形成した金具を、それの開放側が外側に向かう姿勢として取り付けることで、このＵ字型の金具により構成していて、引っ張ったロープ３０の遊端部を、このＵ字型の金具の開放口から内側に嵌挿して、結び目を引き掛け、その状態で手を放すことで、ロープ３０がＵ字型の金具に引き掛かり、引っ張った状態に保定されるようにしている。
【００２６】
このように構成されるこの実施例の遠隔操作手段ｇは、ロープ３０及びそのロープ３０を案内する案内部材５が、運搬車Ｔの車体ｂおよび運転室Ｒに対し、隔離した状態になっていることから、堆肥散布機ｗを荷台ｔから取り降ろすときに、そのまま、堆肥散布機ｗと共に荷台ｔから取り降ろせるようになり、堆肥散布機ｗの荷台ｔに対する脱着を容易なものとする。
【実施例２】
【００２７】
図９及び図１０は、本発明手段を実施せる搭載型堆肥散布機の別の実施例における動力伝導を入・切制御する動力接続装置部を示し、図９はその動力接続装置部の動力伝導を“入”とした状態時の側面図、図１０は同上動力接続装置部の動力伝導を“切”とした状態時の側面図である。
【００２８】
この別の実施例は、運搬車Ｔの荷台ｔに、通常の構成の堆肥散布機ｗを、駆動用の原動機ｅを組み合わせた状態として搭載することで、搭載型堆肥散布機を構成している点、及び、荷台ｔに搭載した堆肥散布機ｗに対する原動機ｅからの回転動力の伝導を、原動機ｅの出力軸４０に設けた駆動プーリ４１と堆肥散布機ｗの入力軸４２に設けた従動プーリ４３とにかけまわしたＶベルト４４によるベルト伝導によって行う点、及び、原動機ｅから堆肥散布機ｗへの動力伝導の入・切を、支点軸４５中心に回動するテンションアーム４６の先端に軸支してＶベルト４４の外周に対向させたテンションローラ４７の、Ｖベルト４４に対する圧接と、その圧接の解放によって行うベルトクラッチ方式としている点、及び、動力伝導を入・切制御する入・切レバー２０の作動を、その入・切レバー２０に一端側を連繋したロープ３０の他端側を、案内部材５により運転室Ｒ内の運転者に届く位置に導いて、運転者によるそのロープ３０の引っ張りと戻しの操作による遠隔操作によって行わすようにしている点、については、前述の実施例のものと変わりがなく、同様に構成してある。
【００２９】
しかし、堆肥散布機ｗの入力軸４２に、出力軸４０から出力する回転動力を伝導せしめる原動機ｅには、該原動機ｅの回転数を制御するスロットルレバー７０と、該原動機ｅから堆肥散布機ｗへ伝達する回転動力を入・切する入・切レバー２０とを、その入・切レバー２０が動力伝導を“切”とする位置に作動したときにはスロットルレバー７０が原動機ｅの回転を低回転とする位置に動き、入・切レバー２０が動力伝導を“入”とする位置に作動したときはスロットルレバー７０が原動機ｅの回転を使用回転数の高速回転とする位置に動くように、連繋する連繋手段が設けられている。
【００３０】
連繋手段は、この例においては、スロットルレバー７０と入・切レバー２０との間の渡架した連結ワイヤー７１が用いられている。この実施例においては、荷台ｔに搭載した堆肥散布機ｗを、原動機ｅから伝達される回転動力により稼動させた状態として、運搬車Ｔを運転走行させて行う堆肥の散布作業中において、堆肥散布機ｗのホッパ１０が空になって、積み込み場所に戻る場合、また、圃場の際において旋回作業を行う場合に、運搬車Ｔの運転者が運転室Ｒにおいて、ロープ３０の他端側を手で握り引っ張ることで、堆肥散布機ｗへの原動機ｅからの動力の伝導が“切”となり、堆肥散布機ｗは稼動を停止した状態となる。従って、散布作動を停止した状態で、運転走行及び旋回作業が行えるようになる。
【００３１】
そして、このとき、原動機ｅのスロットルレバー７０が、入・切レバー２０の動力伝導を“切”とする作動によって、原動機ｅの回転を低回転とする位置に、動くようになることで、空運転および旋回作業の際の原動機ｅの回転を低回転として、燃費を良くする。
【符号の説明】
【００３２】
Ｍ    運転者
Ｔ    運搬車
Ｒ    運転室
ａ    機体
ａ’  機枠
ｂ    車体
ｃ    コントローラ
ｄ    動力接続手段
ｅ    原動機
ｆ    入・切制御手段
ｇ    遠隔操作手段
ｈ    保定手段
ｔ    荷台
ｗ    堆肥散布機
１０    ホッパ
１１    床コンベア
１２    散布装置
１３    組付機枠
２０    入・切レバー
２１    電動モータ
２２    電気配線
２３    支軸
２４    連繋部材
３０    ロープ（紐状部材）
４０    出力軸
４１    駆動プーリ
４２    入力軸
４３    従動プーリ
４４    Ｖベルト
４５    支点軸
４６    テンションアーム
４７    テンションローラ
５    案内部材
５０    取付部材
５１    案内アーム
５２    案内輪
６０    係止部材
６１    係合部材
７０    スロットルレバー
７１    連結ワイヤー
【図１】
0005872941.tif 000002
【図２】
0005872941.tif 000003
【図３】
0005872941.tif 000004
【図４】
0005872941.tif 000005
【図５】
0005872941.tif 000006
【図６】
0005872941.tif 000007
【図７】
0005872941.tif 000008
【図８】
0005872941.tif 000009
【図９】
0005872941.tif 000010
【図１０】
0005872941.tif 000011